(57)【要約】  本願は、風向を調整する板状の部材を簡素な機構で伸縮したり直角な形態にしたりすることが可能な空調吹出口の風向調整装置及びその連結部材を開示する。本願で開示する空調吹出口の風向調整装置は、空調機に空気調和された空気が吹き出る空調吹出口の前方に配置され、空調吹出口から吹き出される空気を受ける第１面板部と、第１面板部を空調吹出口の前方に取り付ける取付部と、第１面板部に他の面板部を連結する連結部と、を備える。
2018011848.tif 000002
【特許請求の範囲】
【請求項１】
空調機に空気調和された空気が吹き出る空調吹出口の前方に配置され、前記空調吹出口から吹き出される空気を受ける第１面板部と、
前記第１面板部を前記空調吹出口の前方に取り付ける取付部と、
前記第１面板部に他の面板部を連結する連結部と、を備える、
空調吹出口の風向調整装置。
【請求項２】
前記連結部は、
前記第１面板部の縁と前記他の面板部の縁とに各々設けられている壁部同士を挟持する第１挟持部および第２挟持部と、
一端にある前記第１挟持部と他端にある前記第２挟持部とを突っ張る棒状部と、
前記第１挟持部と前記第２挟持部に各々設けられており、前記第１面板部と前記他の面板部の各縁にある被係合部に係合する係合部と、を有する、
請求項１に記載の空調吹出口の風向調整装置。
【請求項３】
前記第１面板部は、全体的に長方形の外形を有し、
前記風向調整装置は、前記連結部によって前記第１面板部の短辺に連結される、前記第１面板部の短辺に対して４５度傾く斜辺を非連結側に有する第２面板部を更に備える、
請求項１または２に記載の空調吹出口の風向調整装置。
【請求項４】
空調機に空気調和された空気が吹き出る空調吹出口の前方に配置され、前記空調吹出口から吹き出される空気を受ける各面板部の縁に各々設けられている壁部同士を挟持する第１挟持部および第２挟持部と、
一端にある前記第１挟持部と他端にある前記第２挟持部とを突っ張る棒状部と、
前記第１挟持部と前記第２挟持部に各々設けられており、前記各面板部の縁にある被係合部に係合する係合部と、を備える、
空調吹出口の風向調整装置の連結部材。
【発明の詳細な説明】
【技術分野】
【０００１】
本願は、空調吹出口の風向調整装置及びその連結部材を開示する。
【背景技術】
【０００２】
近年、ビルや店舗、病院、家屋等の各種建物には、室内の空気調和を行う空調機が設置されている。空調機には、天井や壁等に埋め込むタイプや、天井から吊り下げるタイプ、壁面に据え付けるタイプがあるが、何れも空気調和された空気を室内へ吹き出す空調吹出口が備わっている点で共通する。【０００３】
ところで、空気の比重が温度に反比例するため、暖かい空気は室内の上部に溜まる。また、冷たい空気は室内の下部に溜まる。よって、空調機は、例えば、冷房運転を行う場合には室内の上部に溜まる暖かい空気を効率的に吸い込んで空気調和できるように、空調吹出口から室内の下部へ向けて冷気を吹き出す。したがって、空調吹出口から吹き出る冷気が室内の人へ当たるのを避けるために、例えば、特許文献１に示すような、空調吹出口の風向を調整する器具が市販されている。
【先行技術文献】
【特許文献】
【０００４】
【特許文献１】実用新案登録第３１１４１７０号公報
【発明の概要】
【発明が解決しようとする課題】
【０００５】
空調機に備わる空調吹出口の大きさや吹き出し方向は様々である。例えば、室内の天井に埋め込むタイプの空調機の場合、例えば、互いに平行な細長い２つの空調吹出口で２方向に空気を吹き出し可能なものや、細長い空調吹出口が直角に隣り合っていて４方向に空気を吹き出し可能なものがある。一般的に、２つの空調吹出口で２方向に空気を吹き出す空調機の場合、４つの空調吹出口で４方向に空気を吹き出す空調機に比べて、空調吹出口の長さが長い。【０００６】
よって、空調吹出口に取り付ける市販の風向調整装置は、設置される箇所にある空調吹出口の長さに合うように伸縮する機能や、直角に隣り合う細長い２つの空調吹出口に沿うように直角な形態に変形する機能があると便利である。しかし、風向を調整する板状の部材を伸縮する機能と直角な形態に変形する機能との両立は構造的に複雑である。また、風向調整装置が本来的に求められる風向調整機能に比べると、伸縮機能や変形機能は付加的な機能に過ぎないため、伸縮機能と変形機能を実現する機構が風向調整機能を実現する機構より複雑であることは好ましくない。【０００７】
そこで、本願は、風向を調整する板状の部材を簡素な機構で伸縮したり直角な形態にしたりすることが可能な空調吹出口の風向調整装置及びその連結部材を開示する。
【課題を解決するための手段】
【０００８】
上記課題を解決するため、本発明では、空調吹出口から吹き出される空気を受ける第１面板部と他の面板部とを連結する連結部を設けることにした。【０００９】
詳細には、本発明は、空調吹出口の風向調整装置であって、空調機に空気調和された空気が吹き出る空調吹出口の前方に配置され、空調吹出口から吹き出される空気を受ける第１面板部と、第１面板部を空調吹出口の前方に取り付ける取付部と、第１面板部に他の面板部を連結する連結部と、を備える。【００１０】
上記の風向調整装置であれば、第１面板部に連結部で様々な他の面板部を連結可能であるため、適宜の形状の面板部を第１面板部に連結することにより、風向を調整する板状の部材を簡素な機構で実質的に伸縮したり直角な形態にしたりすることが可能となる。【００１１】
なお、連結部は、第１面板部の縁と他の面板部の縁とに各々設けられている壁部同士を挟持する第１挟持部および第２挟持部と、一端にある第１挟持部と他端にある第２挟持部とを突っ張る棒状部と、第１挟持部と第２挟持部に各々設けられており、第１面板部と他の面板部の各縁にある被係合部に係合する係合部と、を有するものであってもよい。このような連結部を備える風向調整装置であれば、第１面板部と他の面板部とを簡素な機構で連結可能である。【００１２】
また、第１面板部は、全体的に長方形の外形を有し、風向調整装置は、連結部によって第１面板部の短辺に連結される、第１面板部の短辺に対して４５度傾く斜辺を非連結側に有する第２面板部を更に備えるものであってもよい。このような風向調整装置であれば、直角に隣り合っている空調吹出口に沿って実質的に直角な形態を簡素な機構で実現することができる。【００１３】
また、本発明は、連結部材としての側面から捉えることも可能である。例えば、本発明は、空調機に空気調和された空気が吹き出る空調吹出口の前方に配置され、空調吹出口から吹き出される空気を受ける各面板部の縁に各々設けられている壁部同士を挟持する第１挟持部および第２挟持部と、一端にある第１挟持部と他端にある第２挟持部とを突っ張る棒状部と、第１挟持部と第２挟持部に各々設けられており、各面板部の縁にある被係合部に係合する係合部と、を備えるものであってもよい。
【発明の効果】
【００１４】
上記の空調吹出口の風向調整装置及びその連結部材であれば、風向を調整する板状の部材を簡素な機構で伸縮したり直角な形態にしたりすることが可能になる。
【図面の簡単な説明】
【００１５】
【図１】図１は、空調機の空調吹出口から吹き出された空気の風向を調整する風向調整装置の取付状態の一例である。
【図２】図２は、風向調整装置の斜視図である。
【図３】図３は、連結部材を斜め上から見た斜視図である。
【図４】図４は、連結部材を斜め下から見た斜視図である。
【図５】図５は、連結部材の使用方法を示した第１の図である。
【図６】図６は、連結部材の使用方法を示した第２の図である。
【図７】図７は、連結部材の使用方法を示した第３の図である。
【図８】図８は、連結部材の使用方法を示した第４の図である。
【図９】図９は、コーナー用ウィングプレートをウィングプレートに連結した風向調整装置の取付状態の一例である。
【図１０】図１０は、２つのウィングプレート同士を連結した風向調整装置の取付状態の一例である。
【発明を実施するための形態】
【００１６】
以下、本発明の実施形態について説明する。以下に示す実施形態は、本発明の一形態であり、本発明の技術的範囲を下記の実施形態に限定するものではない。
【００１７】
図１は、空調機１の空調吹出口２から吹き出された空気の風向を調整する風向調整装置３の取付状態の一例である。風向調整装置３は、図１に示すように、空調機に空気調和された空気が吹き出る空調吹出口２の前方に配置され、空調吹出口２から吹き出される空気を受けるウィングプレート４（本願でいう「第１面板部」の一例である）と、ウィングプレート４を空調吹出口２の前方に取り付けるためのアーム５（本願でいう「取付部」の一例である）とを備える。
【００１８】
図２は、風向調整装置３の斜視図である。ウィングプレート４は、プラスチックその他の合成樹脂で形成されており、その全体形状は、ほぼ長方形で浅底の容器のような形状をしている。また、ウィングプレート４は、その主面部６の一側縁を除き、長手方向両端縁及び残りの一側縁が、主面部６に対し直角に立設された壁部７Ｌ，７Ｓ，７Ｓを有する。壁部７Ｌは、全体的に長方形のウィングプレート４の長辺に沿って延在する壁部である。また、壁部７Ｓ，７Ｓは、ウィングプレート４の短辺に沿って延在する壁部である。ウィングプレート４は、当該壁部７Ｌ，７Ｓ，７Ｓが形成されていない一側縁に、主面部６に連続しかつ緩やかに湾曲する湾曲部８を有する。
【００１９】
主面部６の上面には、主面部６の長手方向に沿って等間隔で立設される補強リブ９，９が設けられており、浅底の容器状の全体形状を呈するウィングプレート４を３つの区画１０Ｌ，１０Ｃ，１０Ｒに仕切っている。そして、各補強リブ９，９には、アーム５を１軸で回動自在にウィングプレート４へ取り付けるためのヒンジ１１が設けられている。また、３つの区画１０Ｌ，１０Ｃ，１０Ｒには、主面部６の下面が結露するのを防ぐ断熱用マット１２が敷かれている。但し、断熱用マット１２は省略可能である。なお、図２では、アーム５の上側が省略されているが、アーム５は、図１に示したように天井と空調機１との境界付近に取り付けられている。壁部７Ｓ，７Ｓと補強リブ９，９には、断熱用マット１２を主面部６との間に挟むようにして断熱用マット１２を固定する爪１３Ｆ，１３Ｒ（本願でいう「被係合部」の一例である）が各々設けられている。
【００２０】
図３は、連結部材を斜め上から見た斜視図である。また、図４は、連結部材を斜め下から見た斜視図である。風向調整装置３には連結部材２０が備わっている。連結部材２０（本願でいう「連結部」の一例である）は、ウィングプレート４に他のウィングプレートを連結するための部材である。連結部材２０は、ウィングプレート４の縁に設けられている壁部７Ｓと他のウィングプレートに設けられている壁部とを挟持する第１挟持部２１および第２挟持部２２を有する。また、連結部材２０は、一端にある第１挟持部２１と他端にある第２挟持部２２とを突っ張る棒状部２３を有する。また、連結部材２０は、第１挟持部２１に設けられており、ウィングプレート４の縁の壁部７Ｓにある爪１３Ｆと他のウィングプレートの縁の壁部にある爪とに係合する係合爪２４Ｆ（本願でいう「係合部」の一例である）を有する。また、連結部材２０は、第２挟持部２２に設けられており、ウィングプレート４の縁の壁部７Ｓにある爪１３Ｒと他のウィングプレートの縁の壁部にある爪とに係合する係合爪２４Ｒ（本願でいう「係合部」の一例である）を有する。
【００２１】
連結部材２０は、以下のようにして用いられる。図５は、連結部材２０の使用方法を示した第１の図である。例えば、図５に示されるような、ウィングプレート４の短辺に対して４５度傾く斜辺を非連結側に有するコーナー用ウィングプレート４Ｃをウィングプレート４に連結する場合、ウィングプレート４の壁部７Ｓとコーナー用ウィングプレート４Ｃの壁部７ＣＳとが隣接するように、ウィングプレート４の短辺にコーナー用ウィングプレート４Ｃを添える。
【００２２】
図６は、連結部材２０の使用方法を示した第２の図である。ウィンプレート４の短辺にコーナー用ウィングプレート４Ｃを添えた後は、連結部材２０を壁部７Ｓ，７ＣＳの上から被せる。この際、互いに隣接している壁部７Ｓ，７ＣＳが第１挟持部２１および第２挟持部２２に挟まれるように連結部材２０を被せる。
【００２３】
図７は、連結部材２０の使用方法を示した第３の図である。壁部７Ｓ，７ＣＳが第１挟持部２１および第２挟持部２２に挟まれるように連結部材２０を被せた後は、第１挟持部２１と第２挟持部２２を上から押す。この時、係合爪２４Ｆが爪１３Ｆに当たるので第１挟持部２１が第２挟持部２２側へやや動く。また、係合爪２４Ｒが爪１３Ｒに当たるので第２挟持部２２が第１挟持部２１側へやや動く。よって、棒状部２３が弓なりにやや曲がる。
【００２４】
図８は、連結部材２０の使用方法を示した第４の図である。棒状部２３が弓なりにやや曲がりつつも、第１挟持部２１と第２挟持部２２をそのまま押すことにより、係合爪２４Ｆが爪１３Ｆに係合して第１挟持部２１による壁部７Ｓ，７ＣＳの挟持状態が保持され、係合爪２４Ｒが爪１３Ｒに係合して第２挟持部２２による壁部７Ｓ，７ＣＳの挟持状態が保持される。
【００２５】
図９は、コーナー用ウィングプレート４Ｃをウィングプレート４に連結した風向調整装置３の取付状態の一例である。コーナー用ウィングプレート４Ｃをウィングプレート４に連結することにより、風向調整装置３は、例えば、図１，９に示されるような、細長い空調吹出口２が直角に隣り合っていて４方向に空気を吹き出す空調機１に装着されると、直角に隣り合う２つの空調吹出口２，２に沿うように直角な形態に実質的に変形した状態になる。
【００２６】
図１０は、２つのウィングプレート４同士を連結した風向調整装置３の取付状態の一例である。２つのウィングプレート４同士を連結することにより、風向調整装置３は、例えば、図１０に示されるような、ウィングプレート４よりも長い空調吹出口２Ｌを有する空調機１Ｌに装着されると、空調吹出口２Ｌの長さに合うように実質的に伸縮した状態になる。
【００２７】
空調機に備わる空調吹出口の大きさや吹き出し方向は様々である。しかし、上記実施形態の風向調整装置３であれば、連結部材２０が備わっているため、設置される箇所にある空調吹出口の長さに合うように実質的に伸縮したり、直角に隣り合う細長い２つの空調吹出口に沿うように直角な形態に実質的に変形したりすることが可能である。しかも、伸縮する機能と直角な形態に変形する機能とを、連結部材２０と他のウィングプレートで実現可能であり、簡素な構造で両機能を実質的に実現できる。
【００２８】
なお、図９では、４つある空調吹出口２のうち直角に隣り合う２つの空調吹出口２にウィングプレート４やコーナー用ウィングプレート４Ｃを設けた風向調整装置３が図示されているが、風向調整装置３は、４つある空調吹出口２の全てに沿うように４つのウィングプレート４と８つのコーナー用ウィングプレート４Ｃとが連結されていてもよい。
【００２９】
また、上記実施形態では、ウィングプレート４に２つのアーム５が設けられていたが、ウィングプレート４は上記実施形態よりも短尺で１つのアーム５しか設けられていないものであってもよいし、上記実施形態よりも長尺で３つ以上のアーム５が設けられているものであってもよい。
【符号の説明】
【００３０】
１・・空調機
２・・空調吹出口
３・・風向調整装置
４・・ウィングプレート
４Ｃ・・コーナー用ウィングプレート
５・・アーム
６・・主面部
７Ｌ，７Ｓ，７ＣＳ・・壁部
８・・湾曲部
９・・補強リブ
１０Ｌ，１０Ｃ，１０Ｒ・・区画
１１・・ヒンジ
１２・・断熱用マット
１３Ｆ，１３Ｒ・・爪
２０・・連結部材
２１・・第１挟持部
２２・・第２挟持部
２３・・棒状部
２４Ｆ，２４Ｒ・・係合爪
【図１】
2018011848.tif 000003
【図２】
2018011848.tif 000004
【図３】
2018011848.tif 000005
【図４】
2018011848.tif 000006
【図５】
2018011848.tif 000007
【図６】
2018011848.tif 000008
【図７】
2018011848.tif 000009
【図８】
2018011848.tif 000010
【図９】
2018011848.tif 000011
【図１０】
2018011848.tif 000012
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
空調機に空気調和された空気が吹き出る空調吹出口の前方に配置され、前記空調吹出口から吹き出される空気を受ける第１面板部と、
前記第１面板部を前記空調吹出口の前方に取り付ける取付部と、
前記第１面板部に他の面板部を連結する連結部と、を備え、
前記連結部は、
前記第１面板部の縁と前記他の面板部の縁とに各々設けられている壁部同士を挟持する第１挟持部および第２挟持部と、
一端にある前記第１挟持部と他端にある前記第２挟持部とを突っ張る棒状部と、
前記第１挟持部と前記第２挟持部に各々設けられており、前記第１面板部と前記他の面板部の各縁にある被係合部に係合する係合部と、を有する、
空調吹出口の風向調整装置。
【請求項２】
前記第１面板部は、全体的に長方形の外形を有し、
前記風向調整装置は、前記連結部によって前記第１面板部の短辺に連結される、前記第１面板部の短辺に対して４５度傾く斜辺を非連結側に有する第２面板部を更に備える、
請求項１に記載の空調吹出口の風向調整装置。
【請求項３】
空調機に空気調和された空気が吹き出る空調吹出口の前方に配置され、前記空調吹出口から吹き出される空気を受ける各面板部の縁に各々設けられている壁部同士を挟持する第１挟持部および第２挟持部と、
一端にある前記第１挟持部と他端にある前記第２挟持部とを突っ張る棒状部と、
前記第１挟持部と前記第２挟持部に各々設けられており、前記各面板部の縁にある被係合部に係合する係合部と、を備える、
空調吹出口の風向調整装置の連結部材。
【国際調査報告】
2018011848.tif 000013
2018011848.tif 000014
2018011848.tif 000015
2018011848.tif 000016
2018011848.tif 000017
2018011848.tif 000018